【事件の表示】
　特願２０１０−２１０２０８「ボルト締結支持装置」拒絶査定不服審判事件〔平成２４年３月２９日出願公開、特開２０１２−６１５８９〕について、次のとおり審決する。
【結　論】
　本件審判の請求は、成り立たない。
【理　由】
１．手続の経緯
　本願は、平成２２年９月１７日の出願であって、平成２６年３月６日付けで拒絶理由が通知され、これに対し、同年４月４日付けで意見書及び手続補正書が提出され、同年７月９日付けで拒絶査定がなされ、これに対し、同年９月２日に拒絶査定不服審判の請求と同時に手続補正書が提出され、さらに平成２７年３月２５日付けで当審からの拒絶理由が通知され、これに対し、同年５月８日付けで意見書及び手続補正書が提出されたものである。
２．本願発明
　本願の請求項１〜２に係る発明は、平成２７年５月８日付け手続補正書により補正された明細書、特許請求の範囲及び図面の記載からみて、その特許請求の範囲の請求項１〜２に記載された事項により特定されるとおりのものと認められ、請求項１には、次のとおり記載されている。
「作業者がボルト締め付け工具によって被締結物にボルトを締め付ける際に、該ボルトを支持して該被締結物のボルト孔に案内するボルト締結支持装置であって、
　前記ボルト締め付け工具の先端部の径と略同一の内径を有するボルト案内部と、
　前記ボルト案内部に近接して設けられる締め付け指示部と、
　複数のボルトを前記被締結物のそれぞれ複数のボルト孔に締め付けるときに、適正な締め付け順序に基づいて、前記締め付け指示部によって、作業者が締め付けるボルト孔を指示する制御手段と、
　を具備し、
　前記ボルトが装着された前記ボルト締め付け工具を前記ボルト案内部に差し込むことで、前記ボルト締め付け工具に装着された前記ボルトと前記ボルト孔との軸心が一致するように構成され、
　前記制御手段は、前記ボルトが装着された前記ボルト締め付け工具が前記ボルト案内部に差し込まれたかどうかを確認し、前記ボルト締め付け工具が前記ボルト案内部に差し込まれたことを認識していなければ、前記ボルト締め付け工具を回転しない、
　ボルト締結支持装置。」（以下請求項１に係る発明を「本願発明」という。）
３．引用刊行物とその記載事項
　当審の拒絶の理由に引用され、本願の出願前に頒布された、特開２００８−２００８１２号公報（以下「刊行物１」という。）には、図面とともに、以下の事項が記載されている。
（ア）
「【請求項１】
　所定の締結順番に従ってワークに設定された締結箇所に締結部材を締結して組み立てる際に、前記ワークに取り付けた状態で前記各締結箇所に適合する部位に開口部が設けられるとともに、各開口部に対応した各締結箇所への前記締結部材の締結順番を示す指示部が各開口部の近傍に設けられたテンプレートを用いる組立方法であって、
　前記各指示部が示す締結順番に従って当該指示部が示す前記開口部に適合した締結箇所に前記締結部材を締結することを特徴とする組立方法。
【請求項２】
　前記指示部を、前記締結順番に従って発光する発光体で構成するとともに、発光した指示部が示す締結箇所への締結完了を検出した際に、締結順番が次の締結箇所を示す指示部を発光することを特徴とした請求項１記載の組立方法。」
（イ）
「【００２５】
　前記組立システム１は、制御部を構成するシーケンサー２１を備えている。このシーケンサー２１は、マイコンを中心に構成されており、記憶装置に記憶されたプログラムに従って動作するように構成されている。
【００２６】
　また、前記組立システム１は、部品棚３１を備えており、該部品棚３１には、複数の収容部３２，・・・が設けられている。各収容部３２，・・・には、締結部材としてのボルト３３，・・・が収容されており、各収容部３２，・・・には、ねじ部の長さや径など異なるサイズのボルト３３，・・・が類別して収容されている。各収容部３２，・・・には、取出口を開閉するシャッター３４，・・・が設けられており、各シャッター３４，・・・は、前記シーケンサー２１からの制御信号に応じて開閉作動するように構成されている。これにより、該シーケンサー２１からの制御信号によって前記シャッター３４，・・・が開放された収容部３２のボルト３３，・・・だけを取り出せるように構成されている。
【００２７】
　前記シーケンサー２１には、前記ボルト３３，・・・を回動して締め付ける工具としてナットランナー用コントローラ９１を介してナットランナー４１が接続されており、前記ナットランナー用コントローラ９１は、前記ナットランナー４１への通電を制御できるように構成されている。このナットランナー４１は、当該ナットランナー４１による締め付けトルクが設定値に達した際に、トルクアップ信号を前記ナットランナー用コントローラ９１に出力するように構成されており、該ナットランナー用コントローラ９１は、このトルクアップ信号を入力することによって、前記ナットランナー４１で締結するボルト３３の締め付けトルクが前記設定値に達したことを検出できるように構成されている。
【００２８】
　また、前記シーケンサー２１には、組立時において前記コントロールバルブ２に対して位置決めされるテンプレート５１が接続されている。
【００２９】
　該テンプレート５１は、透明板によって構成されており、作業中において、前記コントロールバルブ２への取付面を目視できるように構成されている。なお、前記テンプレート５１は、不透明な板で構成しても良い。
【００３０】
　このテンプレート５１は、図外のワークセット治具に位置決め固定されるように構成されており、前記コントロールバルブ２も前記ワークセット治具に位置決め固定されるように構成されている。これにより、前記ワークセット治具を介して、前記テンプレート５１を前記コントロールバルブ２に位置決めできるように構成されている。
【００３１】
　前記テンプレート５１には、前記アッパボディ１１の前記締結箇所１３，・・・に設けられた前記ボルト穴１４，・・・と合致する部位に、円形の開口部６１，・・・が設けられており、該開口部６１は、前記ボルト穴１４にセットしたボルト３３を回動する前記ナットランナー４１のヘッド６２を挿入できる大きさに設定されている。
【００３２】
　前記各開口部６１，・・・の近傍には、図２にも示すように、各開口部６１，・・・に対応した各締結箇所１３，・・・への前記ボルト３３の締結順番を示す指示部としてのランプ７１，・・・が設けられている。各ランプ７１，・・・は、前記締結順番に従って発光する発光体を構成しており、発光したランプ７１が示す開口部６１に対応した締結箇所１３へのボルト３３の締結完了を検出した際に、締結順番が次の締結箇所１３を示すランプ７１を点灯して発光するように構成されている。これにより、前記各ランプ７１，・・・が示す締結順番に従って、当該ランプ７１が示す前記開口部６１に適合した締結箇所１３に前記ボルト３３を締結することにより、前記コントロールバルブ２を組み立てられるように構成されている。
【００３３】
　そして、前記各開口部６１，・・・の開口縁部には、当該開口部６１に前記ボルト３３や前記ナットランナー４１の前記ヘッド６２が挿入されたことを検出するセンサ８１が設けられている。該センサ８１は、光を投光する投光部８２と、該投光部８２からの光を受光する受光部８３とからなり、前記投光部８２と前記受光部８３とは、前記開口部６１の中央を中心とした点対称位置に配置されている。
【００３４】
　前記受光部８３は、前記投光部８２からの光の受光状態を受光信号として前記シーケンサー２１に出力するように構成されており、該シーケンサー２１は、前記受光部８３からの前記受光信号を入力することによって、当該開口部６１に前記ボルト３３や前記ナットランナー４１の前記ヘッド６２が挿入されたか否かを判断できるように構成されている。」
（ウ）
「【００４１】
　この締結処理では、図４に示したように、始めにボルト３３を締め付ける締結箇所１３に合致した開口部６１を示すランプ７１を点灯する（ＳＢ１）。このランプ７１の点灯を確認した作業者は、前記ナットランナー４１の前記ヘッド６２を、点灯したランプ７１に対応した開口部６１に挿入する。
【００４２】
　このとき、前記コントロールバルブ２のアッパボディ１１に取り付けられた前記テンプレート５１には、前記ボルト３３の締結箇所１３に適合した部位に前記開口部６１が設けられている。このため、この開口部６１によって前記ボルト３３を締結すべき箇所を明確にすることができる。これにより、ナットランナー４１を操作して締結作業を行う場合であっても、前記ボルト３３の締結忘れを防止することができる。
【００４３】
　そして、前記シーケンサー２１は、前記開口部６１に対応する前記センサ８１の受光部８３からの前記受光信号を検出することで、当該開口部６１に前記ナットランナー４１の前記ヘッド６２が挿入されたか否かを判断する（ＳＢ２）。
【００４４】
　前記開口部６１に前記ナットランナー４１の前記ヘッド６２が挿入された際には、前記センサ８１の前記投光部８２から前記受光部８３への光が遮られるので、その旨が前記受光信号として前記シーケンサー２１に出力される。この受光信号を入力した前記シーケンサー２１は、前記ナットランナー４１への通電を開始し、当該ナットランナー４１を作動可能とする（ＳＢ３）。」
（エ）
　上記記載事項（イ）の「前記テンプレート５１には、前記アッパボディ１１の前記締結箇所１３，・・・に設けられた前記ボルト穴１４，・・・と合致する部位に、円形の開口部６１，・・・が設けられており、該開口部６１は、前記ボルト穴１４にセットしたボルト３３を回動する前記ナットランナー４１のヘッド６２を挿入できる大きさに設定されている。」（【００３１】）との記載によれば、開口部６１は、ボルト３３を支持してコントロールバルブ２のボルト穴１４にナットランナー４１を案内するものであって、ナットランナー４１のヘッド６２の径と略同一の内径を有するものとみることができる。
（オ）
　上記記載事項（ウ）の「前記開口部６１に前記ナットランナー４１の前記ヘッド６２が挿入された際には、前記センサ８１の前記投光部８２から前記受光部８３への光が遮られるので、その旨が前記受光信号として前記シーケンサー２１に出力される。この受光信号を入力した前記シーケンサー２１は、前記ナットランナー４１への通電を開始し、当該ナットランナー４１を作動可能とする（ＳＢ３）。」（【００４４】）との記載によれば、「ナットランナー４１が開口部６１に差し込まれたかどうかを確認し、前記ナットランナー４１が前記開口部６１に差し込まれたことを認識していなければ、前記ナットランナー４１を回転しない」ものとみることができる。
　上記記載事項（ア）〜（ウ）、上記認定事項（エ）〜（オ）及び図面並びに当業者の技術常識によれば、上記刊行物１には、以下の発明が記載されていると認められる。
「作業者がナットランナー４１によってコントロールバルブ２にボルト３３を締め付ける際に、該ボルト３３を支持して該コントロールバルブ２のボルト穴１４に案内する組立システム１であって、
　前記ナットランナー４１のヘッド６２の径と略同一の内径を有する開口部６１と、
　前記開口部６１に近接して設けられるランプ７１と、
　複数のボルト３３を前記コントロールバルブ２のそれぞれ複数のボルト穴１４に締め付けるときに、適正な締め付け順序に基づいて、前記ランプ７１によって、作業者が締め付けるボルト穴１４を指示するシーケンサー２１と、
　を具備し、
　前記シーケンサー２１は、前記ナットランナー４１が前記開口部６１に差し込まれたかどうかを確認し、前記ナットランナー４１が前記開口部６１に差し込まれたことを認識していなければ、前記ナットランナー４１を回転しない、
　組立システム１。」（以下「引用発明」という。）
４．本願発明と引用発明との対比
　本願発明と引用発明とを対比すると、その機能及び作用からみて、引用発明の「ナットランナー４１」、「コントロールバルブ２」、「ボルト３３」、「ボルト穴１４」、「組立システム１」、「ヘッド６２」、「開口部６１」、「ランプ７１」、「シーケンサー２１」は、本願発明の「ボルト締め付け工具」、「被締結物」、「ボルト」、「ボルト孔」、「ボルト締結支持装置」、「先端部」、「ボルト案内部」、「締め付け指示部」、「制御手段」に相当する。
　そうすると、両者は、
「作業者がボルト締め付け工具によって被締結物にボルトを締め付ける際に、該ボルトを支持して該被締結物のボルト孔に案内するボルト締結支持装置であって、
　前記ボルト締め付け工具の先端部の径と略同一の内径を有するボルト案内部と、
　前記ボルト案内部に近接して設けられる締め付け指示部と、
　複数のボルトを前記被締結物のそれぞれ複数のボルト孔に締め付けるときに、適正な締め付け順序に基づいて、前記締め付け指示部によって、作業者が締め付けるボルト孔を指示する制御手段と、
　を具備し、
　前記制御手段は、前記ボルト締め付け工具が前記ボルト案内部に差し込まれたかどうかを確認し、前記ボルト締め付け工具が前記ボルト案内部に差し込まれたことを認識していなければ、前記ボルト締め付け工具を回転しない、
　ボルト締結支持装置。」
の点で一致し、次の点で相違している。
〈相違点１〉
　「ボルト締め付け工具」について、本願発明では、ボルトが装着された「ボルト締め付け工具」であるのに対して、引用発明では「ボルト締め付け工具」にボルトが装着されているかどうか不明である点。
〈相違点２〉
　本願発明では、ボルト締め付け工具をボルト案内部に差し込むことで、ボルト締め付け工具に装着されたボルトとボルト孔との軸心が一致するように構成されているのに対し、引用発明ではその点が不明である点。
５．相違点についての検討
（１）相違点１について
　上記相違点１に係る構成は、単に、対象となる「ボルト締め付け工具」について、ボルト締め付け作業前にボルトが工具に装着されているかどうかの違いであるとみることができる。そして、ボルト締め付け工具において、ボルト締め付け作業前に工具にボルトが装着されているものは従来周知（必要であれば、刊行物２（段落【００１９】）等参照）であり、また、ボルトを締め付け作業前に工具に装着せずに、被締結物のボルト孔の方に装着するものも従来周知であるところ、そのどちらを採用するかは選択的技術事項にすぎないものである。
　したがって、引用発明において、対象となる「ボルト締め付け工具」について、ボルト締め付け作業前にボルトが装着された状態のボルト締め付け工具を採用し、上記相違点１に係る構成とすることは、当業者ならば従来周知の技術事項に基づいて必要に応じて適宜なし得るものであり、格別の顕著性はない。
（２）相違点２について
　当審の拒絶の理由に引用され、本願の出願前に頒布された、特開平１１−１９８０５５号公報（以下「刊行物２」という。）には、ガイド板にねじ穴と同一軸心にドライバの軸を挿通可能なガイド穴が形成しているものが記載されている（【請求項１】）。また、ボルト穴にボルト締め付け工具に装着されたボルトを差し込み締め付ける場合、斜め締めを回避するためにボルトとボルト孔との軸心が一致するように差し込むことは、技術常識ともいえる。
　してみると、引用発明において、ボルト３３が装着されたナットランナー４１を開口部６１に差し込むことで、ナットランナー４１に装着されたボルト３３とボルト孔との軸心が一致するようし、上記相違点２に係る構成とすることは、刊行物２の記載事項及び技術常識に基づき、当業者ならば容易に想到し得るものであり、格別の顕著性はないものである。
　そして、本願発明の効果も、当業者であれば、引用発明、刊行物２の記載事項及び従来周知の技術事項から予測し得る範囲のものであって、格別なものとはいえない。
　したがって、本願発明は、引用発明、刊行物２の記載事項及び従来周知の技術事項に基づいて、当業者が容易に発明をすることができたものである。
６．まとめ
　以上のとおり、本願発明は、引用発明、刊行物２の記載事項及び従来周知の技術事項に基づいて当業者が容易に発明をすることができたものであり、特許法第２９条第２項の規定により特許を受けることができないから、本願の他の請求項に係る発明を検討するまでもなく、本願は拒絶をすべきものである。
　よって、結論のとおり審決する。